(57)【要約】【課題】情報漏洩に対する安全性を向上できるようにする。【解決手段】表示装置３０は、第２通信部３２、第２記憶部３３、表示部３４、位置情報取得部３５、及び第２制御部３１を備える。第２通信部３２は、データ管理装置２０との間でワイヤレス情報通信を行う。第２記憶部３３は、データ管理装置２０から取得した電子書類データを記憶する。位置情報取得部３５は、データ管理装置２０に対する表示装置３０の位置情報を取得する。第２制御部３１は、複数の領域のうち表示装置３０の位置を含む領域のセキュリティレベルであってデータ管理装置２０からの距離に応じて予め設定されるセキュリティレベルが低いほど画質が低下するように第２記憶部３３に記憶された電子書類データを変更する。【選択図】図１
2013196342.tif 000002
【特許請求の範囲】
【請求項１】
所定のデータ管理装置との間でワイヤレス情報通信を行う通信部と、
前記データ管理装置から前記通信部を介して取得した電子書類データを記憶する記憶部と、
電子書類データを表示する表示部と、
前記データ管理装置に対する位置情報を取得する位置情報取得部と、
予め区分される複数の領域のうち前記位置情報の位置を含む領域のセキュリティレベルであって前記データ管理装置からの距離に応じて予め設定されるセキュリティレベルが低いほど画質が低下するように前記記憶部に記憶された電子書類データを変更する制御部と、を備える表示装置。
【請求項２】
前記制御部は、所定の基準時からの経過時間が長くなるほど画質が低下するように前記記憶部に記憶された電子書類データを変更する、請求項１に記載の表示装置。
【請求項３】
前記記憶部は、電子書類データと重要度情報との関係をさらに記憶し、
前記制御部は、前記関係に基づいて重要度が高い電子書類データほど前記経過時間が短いうちに画質が低下するように前記記憶部に記憶された電子書類データを変更する、請求項２に記載の表示装置。
【請求項４】
前記制御部は、画質が低下するように前記記憶部に記憶された電子書類データを変更する際に、解像度を低下させるように電子書類データの少なくとも一部を前記記憶部から消去する、請求項１から３のいずれかに記載の表示装置。
【請求項５】
前記制御部は、画質が低下するように前記記憶部に記憶された電子書類データを変更する際に、所定条件下で電子書類データの全てを前記記憶部から消去する、請求項４に記載の表示装置。
【請求項６】
前記制御部は、前記複数の領域のうちの所定の第１境界領域よりもセキュリティレベルが低い領域へ持ち出された場合、前記位置情報に基づいて前記第１境界領域内への誘導情報を前記表示部に表示させる、請求項１から５のいずれかに記載の表示装置。
【請求項７】
電子書類データを記憶するデータ管理装置と前記データ管理装置からワイヤレス情報通信によって取得した電子書類データを表示する表示装置とを備え、
前記データ管理装置は、
前記表示装置との間でワイヤレス情報通信を行う第１通信部と、
電子書類データを記憶する第１記憶部と、
前記第１記憶部及び前記第１通信部を制御する第１制御部とを有し、
前記表示装置は、
前記データ管理装置との間でワイヤレス情報通信を行う第２通信部と、
前記データ管理装置から前記第２通信部を介して取得した電子書類データを記憶する第２記憶部と、
電子書類データを表示する表示部と、
前記データ管理装置に対する位置情報を取得する位置情報取得部と、
予め区分される複数の領域のうち前記位置情報の位置を含む領域のセキュリティレベルであって前記データ管理装置からの距離に応じて予め設定されるセキュリティレベルが低いほど画質が低下するように前記第２記憶部に記憶された電子書類データを変更する第２制御部とを有する、データ管理システム。
【請求項８】
前記第２制御部は、前記位置情報の位置を含む領域がセキュリティレベルの高い方から低い方へ移行することで前記第２記憶部に記憶された電子書類データが画質が低下するように変更された後で、前記位置情報の位置を含む領域がセキュリティレベルの低い方から高い方へ移行した場合、前記データ管理装置との間のワイヤレス情報通信によって前記第１記憶部に記憶された電子書類データの少なくとも一部を取得することで前記第２記憶部に記憶された変更後電子書類データを画質が向上するように変更する、請求項７に記載のデータ管理システム。
【請求項９】
前記第１記憶部は、前記表示装置のユーザへ連絡するためのユーザ情報をさらに記憶し、
前記第１制御部は、前記複数の領域のうちの所定の第２境界領域よりもセキュリティレベルが低い領域へ持ち出されたまま所定時間経過した場合、前記表示装置のユーザへ前記ユーザ情報を用いた警告処理を行う、請求項７又は８に記載のデータ管理システム。
【発明の詳細な説明】
【技術分野】
【０００１】
この発明は、データ管理装置との間でワイヤレス情報通信を行う表示装置、及びこれを備えるデータ管理システムに関する。
【背景技術】
【０００２】
近年、電子書類データが意図せず漏洩しないように管理することが重要視されている。データ管理システムとして、所定位置に設置されたデータ管理装置に電子書類データを格納しておき、ユーザが電子書類データの閲覧を希望する際には、データ管理装置から端末型の表示装置へ電子書類データをダウンロードして表示装置に電子書類データを表示する、といったものが知られている。このようなデータ管理システムの中には、セキュリティレベルが低下する所定条件下において表示装置での電子書類データの表示を遮断するように構成されたものがある（例えば、特許文献１参照。）。
【先行技術文献】
【特許文献】
【０００３】
【特許文献１】特開２００９−８６８９１号公報
【発明の概要】
【発明が解決しようとする課題】
【０００４】
しかし、特許文献１に記載された従来のデータ管理システムの表示装置では、所定条件下において、規定通りの操作方法によっては表示装置に電子書類データが表示されないとしても、表示装置に一旦ダウンロードされた電子書類データが消去等変更されることはない。このため、セキュリティレベルが低い位置に配置されたにも関らず、表示装置内に電子書類データが残されているので、情報漏洩に対する安全性が低下する。
【０００５】
この発明の目的は、情報漏洩に対する安全性を向上できる表示装置、及びこれを備えるデータ管理システムを提供することにある。
【課題を解決するための手段】
【０００６】
この発明の表示装置は、通信部、記憶部、表示部、位置情報取得部、及び制御部を備える。通信部は、所定のデータ管理装置との間でワイヤレス情報通信を行う。記憶部は、データ管理装置から通信部を介して取得した電子書類データを記憶する。表示部は、電子書類データを表示する。位置情報取得部は、データ管理装置に対する位置情報を取得する。制御部は、予め区分される複数の領域のうち前記位置情報の位置を含む領域のセキュリティレベルであって前記データ管理装置からの距離に応じて予め設定されるセキュリティレベルが低いほど画質が低下するように記憶部に記憶された電子書類データを変更する。
【０００７】
この構成では、データ管理装置はセキュリティレベルが最も高い領域内に設置され、データ管理装置からの距離が遠い領域ほどセキュリティレベルが低下する。このため、表示装置がセキュリティレベルの低い領域へ持ち出されるのに応じて、電子書類データの画質を低下させることで電子書類データを見えにくくする。電子書類データの画質を低下させる際に、単に表示方法を規制するのではなく、表示装置内に記憶された電子書類データ自体を変更してしまうことで、セキュリティレベルが低い領域に高画質の電子書類データが配置されることを防止することができる。したがって、情報漏洩に対する安全性を向上することができる。
【０００８】
上述の構成において、制御部は、所定の基準時からの経過時間が長くなるほど画質が低下するように記憶部に記憶された電子書類データを変更するように構成することができる。
【０００９】
この構成では、データ管理装置の下から表示装置が貸し出された時やデータ管理装置から表示装置へ電子書類データがダウンロードされた時等を基準時として、基準時からの経過時間が長くなるほど、電子書類データの意図しない紛失又は意図的な漏洩等の危惧が高まり、情報漏洩に対する安全性が低下すると考えられる。このため、基準時からの経過時間が長くなるほど画質が低下するように表示装置内に記憶された電子書類データ自体を変更してしまうことで、情報漏洩に対する安全性をより向上することができる。
【００１０】
また、記憶部は、電子書類データと重要度情報との関係をさらに記憶し、制御部は、前記関係に基づいて重要度が高い電子書類データほど経過時間が短いうちに画質が低下するように記憶部に記憶された電子書類データを変更するように構成することができる。
【００１１】
この構成では、電子書類データ毎の重要度の違いに考慮して、電子書類データ毎に重要度情報が設定される。表示装置が配置された領域のセキュリティレベルが同じであっても、重要度が高い電子書類データほど基準時からの経過時間が短いうちに、画質が低下するように表示装置内に記憶された電子書類データが変更される。このため、重要度の高い電子書類データほど情報漏洩に対する安全性をより向上することができる。
【００１２】
さらに、制御部は、画質が低下するように記憶部に記憶された電子書類データを変更する際に、解像度を低下させるように電子書類データの少なくとも一部を記憶部から消去するように構成することができる。
【００１３】
この構成では、表示装置の記憶部から一旦消去されたデータを元データの補完なしに復元することは困難であるため、情報漏洩に対する安全性をより向上することができる。
【００１４】
また、制御部は、画質が低下するように記憶部に記憶された電子書類データを変更する際に、所定条件下で電子書類データの全てを記憶部から消去するように構成することができる。
【００１５】
この構成では、セキュリティレベルがより低下した所定条件下では、電子書類データの全てを表示装置内から消去することで、単に表示方法を規制することと比較して、情報漏洩に対する安全性をより向上することができる。
【００１６】
さらに、制御部は、複数の領域のうちの所定の第１境界領域よりもセキュリティレベルが低い領域へ持ち出された場合、位置情報に基づいて第１境界領域内への誘導情報を表示部に表示させるように構成することができる。
【００１７】
この構成では、表示装置に誘導情報を表示することで、セキュリティレベルが高い領域へユーザが表示装置を戻すことが容易になる。また、セキュリティレベルが高い領域内の所定の返却場所へ誘導することで、ユーザが表示装置を返却することが容易になる。
【００１８】
この発明のデータ管理システムは、電子書類データを記憶するデータ管理装置とデータ管理装置からワイヤレス情報通信によって取得した電子書類データを表示する表示装置とを備える。データ管理装置は、表示装置との間でワイヤレス情報通信を行う第１通信部と、電子書類データを記憶する第１記憶部と、第１記憶部及び第１通信部を制御する第１制御部とを有する。表示装置は、データ管理装置との間でワイヤレス情報通信を行う第２通信部と、データ管理装置から第２通信部を介して取得した電子書類データを記憶する第２記憶部と、電子書類データを表示する表示部と、データ管理装置に対する位置情報を取得する位置情報取得部と、予め区分される複数の領域のうち位置情報の位置を含む領域のセキュリティレベルであってデータ管理装置からの距離に応じて予め設定されるセキュリティレベルが低いほど画質が低下するように第２記憶部に記憶された電子書類データを変更する第２制御部とを有する。
【００１９】
この構成では、データ管理装置はセキュリティレベルが最も高い領域内に設置され、データ管理装置からの距離が遠い領域ほどセキュリティレベルが低下する。このため、表示装置がセキュリティレベルの低い領域へ持ち出されるのに応じて、電子書類データの画質を低下させることで電子書類データを見えにくくする。電子書類データの画質を低下させる際に、単に表示方法を規制するのではなく、表示装置内に記憶された電子書類データ自体を変更してしまうことで、セキュリティレベルが低い領域に高画質の電子書類データが配置されることを防止することができる。したがって、情報漏洩に対する安全性を向上することができる。
【００２０】
上述の構成において、第２制御部は、位置情報の位置を含む領域がセキュリティレベルの高い方から低い方へ移行することで第２記憶部に記憶された電子書類データが画質が低下するように変更された後で、位置情報の位置を含む領域がセキュリティレベルの低い方から高い方へ移行した場合、データ管理装置との間のワイヤレス情報通信によって第１記憶部に記憶された電子書類データの少なくとも一部を取得することで、第２記憶部に記憶された変更後電子書類データを画質が向上するように変更する、という構成にすることができる。
【００２１】
この構成では、データ管理装置との間の距離が近い領域ほどセキュリティレベルが向上する。このため、セキュリティレベルの向上に応じて、データ管理装置から元データ又は補完データを取得することで、表示装置内に記憶された電子書類データの画質を向上し、電子書類データを見やすくする。これによって、表示装置内に記憶された電子書類データが画質が低下するように変更された場合でも、表示装置を一旦返却して新たにデータ管理装置から電子書類データをダウンロードするという作業を行うことなく、セキュリティレベルに応じた画質の電子書類データを表示部に表示することができるようになる。したがって、情報漏洩に対する安全性を高く維持しつつ、利便性を向上することができる。
【００２２】
また、第１記憶部は、表示装置のユーザへ連絡するためのユーザ情報をさらに記憶し、第１制御部は、複数の領域のうちの所定の第２境界領域よりもセキュリティレベルが低い領域へ持ち出されたまま所定時間経過した場合、表示装置のユーザへユーザ情報を用いた警告処理を行うように構成することができる。
【００２３】
この構成では、ユーザ情報として、ユーザのメールアドレス、電話番号、及びファクシミリ番号等が挙げられる。第２境界領域よりもセキュリティレベルが低い領域へ持ち出されたまま所定時間以上が経過すると情報漏洩の危惧が高まるので、当該表示装置のユーザに対して、予め設定されたメールアドレスへのメールの送信、又は予め録音された音声を自動発信することによる電話通知等といった警告処理がなされる。これによって、表示装置を第２境界領域内へ戻すことを促進することができ、情報漏洩に対する安全性をより向上することができる。
【発明の効果】
【００２４】
この発明によれば、情報漏洩に対する安全性を向上することができる。
【図面の簡単な説明】
【００２５】
【図１】この発明の実施形態に係る表示装置を備えるデータ管理システムの概略の構成を示すブロック図である。
【図２】データ管理装置と表示装置との位置関係の一例を示す図である。
【図３】第１実施形態に係る表示装置の第２制御部の処理手順を示すフローチャートである。
【図４】第１実施形態に係る表示装置が位置する領域のそれぞれにおける電子書類データに対する処理の一例を示す図である。
【図５】第２実施形態に係る表示装置の第２制御部の処理手順を示すフローチャートである。
【図６】第２実施形態に係る表示装置が位置する領域と所定の基準時からの経過時間との種々の組み合わせ条件における電子書類データに対する処理であって電子書類データの重要度が最も高い場合の処理の一例を示す図である。
【図７】第２実施形態に係る表示装置が位置する領域と所定の基準時からの経過時間との種々の組み合わせ条件における電子書類データに対する処理であって電子書類データの重要度が２番目に高い場合の処理の一例を示す図である。
【図８】第２実施形態に係る表示装置が位置する領域と電子書類データの重要度との種々の組み合わせ条件における電子書類データを第２記憶部から消去するまでの時間の一例を示す図である。
【図９】第３実施形態に係る表示装置の第２制御部の処理手順を示すフローチャートである。
【図１０】データ管理装置の第１制御部の処理手順の一例を示すフローチャートである。
【発明を実施するための形態】
【００２６】
以下に、この発明の実施形態について、図面を用いて説明する。図１に示すように、データ管理システム１０は、データ管理装置２０及び表示装置３０を備えている。
【００２７】
データ管理装置２０は、第１制御部２１、第１通信部２２、及び第１記憶部２３を備えている。例えば、データ管理装置２０は、サーバ装置又は画像形成装置によって構成される。
【００２８】
データ管理装置２０は、セキュリティレベルが高い管理領域内に設置される。データ管理装置２０は、図示しない入出力部をさらに有し、入出力部を介して入力された電子書類データが、第１記憶部２３に記憶されている。入出力部は、ＵＳＢポート等の接続端子である。第１通信部２２は、ワイヤレス情報通信を行う機能を有する。第１制御部２１は、データ管理装置２０の全体を統括的に制御する。
【００２９】
表示装置３０は、第２制御部３１、第２通信部３２、第２記憶部３３、表示部３４、及び位置情報取得部３５を備えている。表示装置３０は、タブレット型端末装置などの携帯型端末装置である。
【００３０】
第２通信部３２は、第１通信部２２との間でワイヤレス情報通信を行う機能を有する。第２制御部３１は、第２通信部３２及び第１通信部２２を介して第１制御部２１との間でワイヤレス情報通信を行うことで、第１記憶部２３に記憶された電子書類データを取得し、第２記憶部３３に記憶させる。
【００３１】
第２制御部３１は、図示しない操作部がユーザによる表示指示入力を受け付けることで、第２記憶部３３に記憶された電子書類データを表示部３４に表示させる。一例として、表示部３４と操作部とは、液晶タッチパネルとして具現化される。
【００３２】
第２制御部３１は、時間情報を出力するタイマを含んでいる。
【００３３】
位置情報取得部３５は、データ管理装置２０に対する位置情報を取得する。一例として、位置情報取得部３５は、ＧＰＳ（Global Positioning System）受信機で構成される。
【００３４】
図２に示すように、データ管理装置２０の周囲の領域は予め複数の管理領域に区分され、データ管理装置２０からの距離に応じて予めセキュリティレベルが設定されている。一例として、データ管理装置２０からの距離がＬ１以下の領域は第１管理領域４１に設定され、データ管理装置２０からの距離がＬ１を超えてＬ２以下の領域は第２管理領域４２に設定され、データ管理装置２０からの距離がＬ２を超える領域は管理領域外４３に設定される。管理領域４１〜４３のそれぞれのセキュリティレベルは、第１管理領域４１が最も高く、第２管理領域４２が次に高く、管理領域外４３が最も低く設定される。
【００３５】
第２制御部３１は、位置情報取得部３５が取得した位置情報に基づいて、表示装置３０が第１管理領域４１、第２管理領域４２、及び管理領域外４３のいずれの領域内に位置するのかを判定する。一例として、第２制御部３１は、データ管理装置２０の位置情報を予め保持し、位置情報取得部３５が取得した表示装置３０の位置情報とデータ管理装置２０の位置情報とを比較することで、データ管理装置２０と表示装置３０との間の距離を取得し、この距離に基づいて、表示装置３０がいずれの領域内に位置するのかを判定する。
【００３６】
なお、位置情報取得部３５はＧＰＳ受信機であることに限定されない。データ管理装置２０に対する表示装置３０の位置情報を、例えば次のようにして取得するように構成することもできる。即ち、表示装置３０が発信機を備え、データ管理装置２０が１個以上の受信機を備える。受信機は複数個備えられることが好ましい。例えば、受信機は３個備えられる。複数の受信機は、互いに離間した所定箇所に設置される。発信機及び受信機は、３次元位置センサを構成する。発信機は、データ管理装置２０に表示装置３０の位置を特定させるための信号を、空間へ発する。一例として、発信機は、超音波信号を発信する。発信機から発せられた信号は、データ管理装置２０の受信機によって受信される。第１制御部２１は、それぞれの受信機が信号を受信した時間差を、第１通信部２２及び第２通信部３２を介して、第２制御部３１へ送信する。第２制御部３１は、入力した時間差に基づいて、データ管理装置２０に対する表示装置３０の位置を検出し、データ管理装置２０と表示装置３０との間の距離を特定する。
【００３７】
次に、第１実施形態に係る表示装置３０の第２制御部３１の処理手順について説明する。
【００３８】
図３及び図４に示すように、第２制御部３１は、表示装置３０の位置情報を取得し（Ｓ１）、予め区分される複数の領域４１〜４３のうち位置情報の位置を含む領域のセキュリティレベルが低いほど画質が低下するように第２記憶部３３に記憶された電子書類データを変更する。具体的には、第２制御部３１は、表示装置３０の位置が第１管理領域４１内であるか否かを判定する（Ｓ２）。ここで、データ管理装置２０から取得して第２記憶部３３に記憶させた後に変更を行っていない電子書類データを元データとする。第２制御部３１は、表示装置３０が第１管理領域４１内に位置する場合、第２記憶部３３に記憶された電子書類データに変更することなく、元データのまま保持する。
【００３９】
第２制御部３１は、表示装置３０の位置が第１管理領域４１内ではない場合、第２管理領域４２内であるか否かを判定する（Ｓ３）。第２制御部３１は、表示装置３０が第２管理領域４２内に位置する場合、第２記憶部３３に記憶されている電子書類データを、所定の第１段階画質に画質が低下するように変更する（Ｓ４）。
【００４０】
一例として、元データの解像度は４００ｄｐｉであるとする。第１段階画質は、元データから１００ｄｐｉ分画質を低下させたものとする。具体的には、元データのうち所定の１００ｄｐｉ分の画素のそれぞれを、所定方向に隣接する画素と同じ色に変更する。これによって電子書類データの精細度が実質的に低下し、電子書類データによって表される文字や写真等の画像の識別性が低下する。
【００４１】
電子書類データの画質を低下させる際に、単に表示部３４への表示方法を規制するのではなく、表示装置３０内に記憶された電子書類データ自体を変更してしまうことで、セキュリティレベルが低い領域に高画質の電子書類データが配置されることを防止することができる。したがって、情報漏洩に対する安全性を向上することができる。
【００４２】
第２制御部３１は、表示装置３０の位置が第２管理領域４２内ではない場合、表示装置３０は管理領域外４３に位置すると判定し、第２記憶部３３に記憶されている電子書類データの全画素を、所定の色に変更する。これによって、元データの画像が全く表示されなくなるので、セキュリティレベルが特に低い領域における情報漏洩に対する安全性を向上することができる。
【００４３】
なお、第２制御部３１は、画質が低下するように第２記憶部３３に記憶された電子書類データを変更する際に、解像度を低下させるように電子書類データの少なくとも一部を第２記憶部３３から消去するように構成することができる。表示装置３０の第２記憶部３３から一旦消去されたデータをデータ管理装置２０からの電子書類データの補完なしに復元することは困難であるため、情報漏洩に対する安全性を向上することができる。また、第２制御部３１は、第２記憶部３３に記憶された電子書類データの全画素を変更する際に、当該電子書類データの全てを第２記憶部３３から消去するように構成することができる。セキュリティレベルがより低下した所定条件下では、当該電子書類データの全てを表示装置３０内から消去することで、単に表示方法を規制することと比較して、情報漏洩に対する安全性をより向上することができる。
【００４４】
次に、第２実施形態に係る表示装置３０の第２制御部３１の処理手順について説明する。この実施形態では、表示装置３０が位置する領域のセキュリティレベルが低いほど、かつ、所定の基準時からの経過時間が長くなるほど、画質が低下するように第２記憶部３３に記憶された電子書類データを変更する。
【００４５】
図５及び図６に示すように、第２制御部３１は、表示装置３０の位置情報を取得し（Ｓ１１）、表示装置３０が第１管理領域４１内に位置する場合であって（Ｓ１２）、所定の基準時から所定の第１時間が経過し（Ｓ１３）、さらに所定の第２時間も経過した場合（Ｓ１４）、第２記憶部３３に記憶された電子書類データを第１段階画質へ画質が低下するように変更する（Ｓ１５）。例えば、データ管理装置２０近傍の所定の補完場所から表示装置３０が持ち出された時やデータ管理装置２０から表示装置３０へ電子書類データがダウンロードされた時等が、基準時とされる。
【００４６】
第２制御部３１は、所定時から所定の第３時間が経過した場合は（Ｓ１６）、第２記憶部３３に記憶された電子書類データを第２段階画質へ画質がさらに低下するように変更する（Ｓ１７）。第２制御部３１は、所定時から所定の第４時間が経過した場合は（Ｓ１８）、第２記憶部３３に記憶された電子書類データの全画素を変更する（Ｓ１９）。
【００４７】
一例として、第１段階画質は、元データから１００ｄｐｉ分画質を低下させたものであり、第２段階画質は、元データから２００ｄｐｉ分画質を低下させたものであるとする。画質を低下させる手段としては、低下させる分の画素のそれぞれを所定方向に隣接する画素と同じ色に変更することが挙げられる。また、解像度を低下させることもできる。さらに、図６に示すように、全画素変更する場合は、第２記憶部３３から当該電子書類データを消去するように構成することもできる。また、一例として、第１時間は１時間、第２時間は３時間、第３時間は５時間、第４時間は１０時間とする。
【００４８】
第２制御部３１は、表示装置３０が第２管理領域４２内に位置する場合は（Ｓ２０）、第２記憶部３３に記憶された電子書類データを、所定の基準時から第１時間経過した時点で（Ｓ２１）、第１段階画質へ画質が低下するように変更し（Ｓ２２）、第２時間経過した時点で（Ｓ２３）、第２段階画質へ画質が低下するように変更し（Ｓ２４）、第３時間が経過した時点で（Ｓ２５）、全画素を変更する。
【００４９】
第２制御部３１は、表示装置３０が第１管理領域４１内にも第２管理領域４２内にもない場合は管理領域外４３に位置すると判定し、第１時間経過した時点で（Ｓ２６）、第２記憶部３３に記憶された電子書類データの全画素を変更する。
【００５０】
所定の基準時からの経過時間が長くなるほど、電子書類データの意図しない紛失又は意図的な漏洩等の危惧が高まり、情報漏洩に対する安全性が低下すると考えられる。このため、基準時からの経過時間が長くなるほど画質が低下するように表示装置３０内に記憶された電子書類データ自体を変更してしまうことで、情報漏洩に対する安全性をより向上することができる。
【００５１】
第２制御部３１は、複数の領域４１〜４３のうちの所定の第１境界領域よりもセキュリティレベルが低い領域へ表示装置３０が持ち出された場合、位置情報に基づいて第１境界領域内への誘導情報を表示部３４に表示させるように構成することができる。一例として、第１境界領域は第２管理領域４２に設定され、第２制御部３１は、管理領域外４３へ表示装置３０が持ち出された場合に、表示部３４に誘導情報を表示する（Ｓ２７）。誘導情報として、表示装置３０の位置を基準としてデータ管理装置２０が設置された場所の方向を矢印で表示することや、地図上や建物の間取り図上に表示装置３０の現在位置からデータ管理装置２０へ至るまでのルート案内を表示することが挙げられる。
【００５２】
表示装置３０に誘導情報を表示することで、セキュリティレベルが高い領域へユーザが表示装置３０を戻すことが容易になる。また、セキュリティレベルが高い領域内の所定の返却場所へ誘導することで、ユーザが表示装置３０を返却することが容易になる。
【００５３】
第２記憶部３３は、電子書類データと重要度情報との関係をさらに記憶し、第２制御部３１は、前記関係に基づいて重要度が高い電子書類データほど経過時間が短いうちに第２記憶部３３に記憶された電子書類データの全画素を変更するように構成することが好ましい。この構成では、電子書類データ毎に重要度情報が設定される。表示装置３０が位置する領域のセキュリティレベルが同じであっても、重要度が高い電子書類データほど基準時からの経過時間が短いうちに、表示装置３０内に記憶された電子書類データの全画素が変更される。このため、重要度の高い電子書類データほど情報漏洩に対する安全性をより向上することができる。
【００５４】
図６〜図８に示すように、一例として、電子書類データの重要度として、重要度Ｓ、重要度Ａ，重要度Ｂ、及び重要度Ｃが設定され、重要度Ｓが最も重要度が高く、重要度Ａ，重要度Ｂ、及び重要度Ｃの順に重要度が低下するとする。
【００５５】
図６には、重要度Ｓの場合の電子書類データの処理の一例を示しており、図７には、重要度Ａの場合の電子書類データの処理の一例を示している。図６と図７との比較及び図８を参照して分かるように、表示装置３０が第１管理領域４１内に位置する場合、重要度Ｓの電子書類データは所定の基準時から１０時間経過した時点で、第２記憶部３３から消去されるのに対して、重要度Ａの電子書類データは、１０時間経過時点では元データから３００ｄｐｉ分の解像度が低下するものの第２記憶部３３から全画素が消去されるまでには至らない。また、表示装置３０が第２管理領域４２内に位置する場合、重要度Ｓの電子書類データは基準時から５時間経過時点で第２記憶部３３から消去されるのに対して、重要度Ａの電子書類データは１０時間経過時点で消去され、重要度Ｂの電子書類データは２０時間経過時点で消去される。管理領域外４３では、重要度Ｓの電子書類データは１時間経過時点で消去されるのに対して、重要度Ａの電子書類データは５時間経過時点で消去され、重要度Ｂの電子書類データは１０時間経過時点で消去され、重要度Ｃの電子書類データは２０時間経過時点で消去される。
【００５６】
また、第２記憶部３３は、電子書類データと重要度情報との関係を記憶し、第２制御部３１は、前記関係に基づいて重要度が高い電子書類データほど経過時間が短いうちに画質が低下するように第２記憶部３３に記憶された電子書類データを変更するように構成することもできる。これによって、重要度の高い電子書類データほど情報漏洩に対する安全性をより向上することができる。
【００５７】
次に、第３実施形態に係る表示装置３０の第２制御部３１の処理手順について説明する。この実施形態では、表示装置３０がセキュリティレベルの高い領域から低い領域へ移動することで第２記憶部３３に記憶された電子書類データが画質が低下するように変更された後で、表示装置３０がセキュリティレベルの低い領域から高い領域へ移動した場合、第２制御部３１は、データ管理装置２０との間のワイヤレス情報通信によって第１記憶部２３に記憶された電子書類データの少なくとも一部を取得することで、第２記憶部３３に記憶された変更後の電子書類データを、画質が向上するように変更する。具体的には、例えば以下のように制御される。
【００５８】
図９に示すように、第２制御部３１は、表示装置３０の位置情報を取得し（Ｓ３１）、表示装置３０が第１管理領域４１内に位置する場合であって（Ｓ３２）、所定の基準時から所定の第１時間が経過した場合（Ｓ３３）、第２記憶部３３に記憶されている電子書類データを元データの画質にする（Ｓ３４）。第２記憶部３３に記憶されている電子書類データの画質が元データの画質と同じである場合は変更を加えず、低下している場合は、データ管理装置２０の第１記憶部２３に記憶された電子書類データの全部、又は一部に相当する補完データを取得することで、画質が向上するように変更する。
【００５９】
第２制御部３１は、基準時から所定の第２時間が経過した場合は（Ｓ３５）、第２記憶部３３に記憶されている電子書類データを第１段階低下画質にし（Ｓ３６）、基準時から所定の第３時間が経過した場合は（Ｓ３７）、第２記憶部３３に記憶されている電子書類データを第２段階低下画質にし（Ｓ３８）、基準時から所定の第４時間が経過した場合は（Ｓ３９）、第２記憶部３３に記憶されている電子書類データの全画素を変更する（Ｓ４０）。
【００６０】
一例として、第１段階低下画質は、元データから１００ｄｐｉ分画質を低下させたものであり、第２段階低下画質は、元データから２００ｄｐｉ分画質を低下させたものである。また、第１時間は１時間、第２時間は３時間、第３時間は５時間、第４時間は１０時間とする。
【００６１】
第２制御部３１は、基準時から第１時間が経過する前に表示装置３０が第１管理領域４１から第２管理領域４２へ移動した場合（Ｓ４１）、基準時から第１時間が経過した時点で（Ｓ４２）、第２記憶部３３に記憶されている電子書類データを第１段階低下画質にする（Ｓ４３）。
【００６２】
但し、第２制御部３１は、基準時から第１時間が経過する前に表示装置３０が第１管理領域４１から第２管理領域４２へ移動した場合であっても（Ｓ４１）、第１時間が経過する前に表示装置３０が第２管理領域４２から第１管理領域４１へ戻され（Ｓ３２）、第１時間経過時点で表示装置３０が第１管理領域４１内に位置する場合は、第２記憶部３３に記憶されている電子書類データを元データの画質にする（Ｓ３４）。
【００６３】
第２制御部３１は、基準時から第２時間が経過する前に表示装置３０が第１管理領域４１から第２管理領域４２へ移動した場合（Ｓ４１）、基準時から第２時間が経過した時点で（Ｓ４４）、第２記憶部３３に記憶されている電子書類データを第２段階低下画質にする（Ｓ４５）。
【００６４】
第２制御部３１は、基準時から第３時間が経過する前に表示装置３０が第１管理領域４１から第２管理領域４２へ移動した場合（Ｓ４１）、基準時から第３時間が経過した時点で（Ｓ４６）、第２記憶部３３に記憶されている電子書類データの全画素を変更する。
【００６５】
第２制御部３１は、表示装置３０が第１管理領域４１内にある状態で第３時間が経過した後であって第４時間が経過する前に表示装置３０が第１管理領域４１から第２管理領域４２へ移動した場合、第２記憶部３３に記憶されている電子書類データの全画素を即座に変更する。
【００６６】
第２制御部３１は、基準時から第１時間が経過する前に表示装置３０が第２管理領域４２から管理領域外４３へ移動した場合（Ｓ４１）、基準時から第１時間が経過した時点で（Ｓ４７）、第２記憶部３３に記憶されている電子書類データの全画素を変更する。
【００６７】
第２制御部３１は、第２時間経過後であって第３時間経過前に表示装置３０が第２管理領域４２から第１管理領域４１へ移動した場合、第２段階低下画質に変更済みの第２記憶部３３に記憶されている電子書類データを、第１段階低下画質に向上させる（Ｓ３６）。
【００６８】
このように、この実施形態では、基準時から所定の経過時間毎に表示装置３０の位置情報が取得されて表示装置３０が位置する領域４１〜４３に適するように、第２記憶部３３に記憶されている電子書類データの画質が低下又は向上するように処理される。
【００６９】
表示装置３０がセキュリティレベルの高い領域から低い領域へ移動することで第２記憶部３３に記憶された電子書類データが画質が低下するように変更された後であっても表示装置３０がセキュリティレベルの低い領域から高い領域へ移動した場合は、セキュリティレベルの向上に応じて、データ管理装置２０から元データ又は補完データを取得することで、第２記憶部３３に記憶された電子書類データの画質を向上し、電子書類データを見やすくする。これによって、表示装置３０内に記憶された電子書類データが画質が低下するように変更された場合でも、表示装置３０を一旦返却して新たにデータ管理装置２０から電子書類データをダウンロードするという作業を行うことなく、セキュリティレベルに応じた画質の電子書類データを表示部３４に表示させることができるようになる。したがって、情報漏洩に対する安全性を高く維持しつつ、利便性を向上することができる。
【００７０】
なお、第２制御部３１は、管理領域外４３へ表示装置３０が持ち出された場合に、表示部３４に誘導情報を表示するように構成することができる（Ｓ４８）。
【００７１】
次に、データ管理装置２０の第１制御部２１の処理手順について説明する。
【００７２】
データ管理装置２０の第１記憶部２３は、表示装置３０のユーザへ連絡するためのユーザ情報をさらに記憶している。ユーザ情報として、ユーザのメールアドレス、電話番号、及びファクシミリ番号等が挙げられる。
【００７３】
図１０に示すように、第１制御部２１は、ワイヤレス情報通信によって表示装置３０から当該表示装置の位置情報を取得する（Ｓ５１）。第１制御部２１は、複数の領域４１〜４３のうちの所定の第２境界領域よりもセキュリティレベルが低い領域へ表示装置３０が持ち出されたまま（Ｓ５２）、所定時間経過した場合（Ｓ５３）、表示装置３０のユーザへユーザ情報を用いた警告処理を行う（Ｓ５４）。一例として、第２境界領域は第１管理領域４１である。
【００７４】
第２境界領域よりもセキュリティレベルが低い領域へ持ち出されたまま所定時間以上が経過すると情報漏洩の危惧が高まるので、当該表示装置３０のユーザに対して、予め設定されたメールアドレスへのメールの送信、予め録音された音声を自動発信することによる電話通知、又は予め設定された文面や画像のファクシミリ送信等によって、表示装置３０を第２境界領域内へ戻すように促す旨の警告処理がなされる。これによって、表示装置３０を第２境界領域内へ戻すことを促進することができ、情報漏洩に対する安全性をより向上することができる。
【００７５】
なお、領域４１〜４３は、データ管理装置２０を中心とした同心円状に区分されることに限定されない。例えば、建物の部屋毎に領域を設定することもできる。
【００７６】
また、領域の区分数は、第１管理領域４１、第２管理領域４２、及び管理領域外４３の３区分に限定されない。２区分、又は４区分以上にした場合でも、本発明を適用することができる。
【００７７】
さらに、データ管理装置２０と表示装置３０との間の距離を取得する手段として、ローカルな所定の領域のみにおける測位が可能に構成された、ＧＰＳと同様のシステムを用いることもできる。また、データ管理装置２０が１以上の発信機を備え、表示装置３０が発信機から発せられた信号を受信する受信機を備えるように構成することもできる。発信機は、複数備えられることが好ましい。さらに、データ管理装置２０と表示装置３０との間の送受信のアンテナ強度に基づいて両者間の距離を特定することも考えられる。
【００７８】
上述の実施形態の説明は、すべての点で例示であって、制限的なものではないと考えられるべきである。本発明の範囲は、上述の実施形態ではなく、特許請求の範囲によって示される。さらに、本発明の範囲には、特許請求の範囲と均等の意味および範囲内でのすべての変更が含まれることが意図される。
【符号の説明】
【００７９】
１０  データ管理システム
２０  データ管理装置
２１  第１制御部
２２  第１通信部
２３  第１記憶部
３０  表示装置
３１  第２制御部
３２  第２通信部
３３  第２記憶部
３４  表示部
３５  位置情報取得部
４１  第１管理領域
４２  第２管理領域
４３  管理領域外
【図１】
2013196342.tif 000003
【図３】
2013196342.tif 000004
【図４】
2013196342.tif 000005
【図５】
2013196342.tif 000006
【図６】
2013196342.tif 000007
【図７】
2013196342.tif 000008
【図８】
2013196342.tif 000009
【図９】
2013196342.tif 000010
【図１０】
2013196342.tif 000011
【図２】
2013196342.tif 000012